(57)【要約】マトリクスタイプのディスプレイを有するディスプレイ装置において、自動ピクチャ設定回路は、カラー映像信号のためのソースと、カラー映像信号の各々のための調節可能ガンマ補正回路とを有する。調節可能ガンマ補正回路の各々は、実行されるガンマ補正の量を制御するための制御信号を受けるための制御入力を有する。更に、自動ピクチャ設定回路は、検出された環境光の量に依存して調節可能ガンマ補正回路のための制御信号を生成するための環境光設定センシング回路を有する。それ故、自動ピクチャ設定回路は、ディスプレイ装置の周りの環境光の量に、ディスプレイ装置に表示されるピクチャを適合させ、それにより、最適な表示ピクチャを確実なものとする。
2006510053.tif 000002
【特許請求の範囲】
【請求項１】
カラー映像信号のためのソース；
前記カラー映像信号の各々のための調節可能ガンマ補正回路であって、該調節可能ガンマ補正回路の各々は実行されるガンマ補正の量を制御するためのそれぞれのガンマ制御信号を受けるための制御入力を有する、調節可能ガンマ補正回路；
検出された環境光の量に依存してガンマ調節信号を生成するための環境光センシング回路；及び
前記ガンマ調節信号から前記のそれぞれのガンマ制御信号を生成するための手段；
を有することを特徴とする自動ピクチャ設定調節回路。
【請求項２】
請求項１に記載の自動ピクチャ設定調節回路であって、前記のカラー信号のためのソースは色差信号及び輝度信号を受けるためのマトリクス回路を有し、前記マトリクス回路は前記カラー映像信号を生成する、ことを特徴とする自動ピクチャ設定調節回路。
【請求項３】
請求項１に記載の自動ピクチャ設定調節回路であって、前記調節可能ガンマ補正回路の各々のための初期動作状態を表すプリセット信号を供給するためのプリセット回路を更に有し、前記生成手段は前記プリセット信号及び前記ガンマ調節信号から前記のそれぞれのガンマ制御信号を生成する、ことを特徴とする自動ピクチャ設定調節回路。
【請求項４】
請求項１に記載の自動ピクチャ設定調節回路であって、ユーザによる所望の全体的設定を表すユーザ制御信号を供給するためのユーザ入力を更に有し、前記生成手段は前記ユーザ制御信号及び前記ガンマ調節信号から前記のそれぞれのガンマ制御信号を生成する、ことを特徴とする自動ピクチャ設定調節回路。
【請求項５】
請求項１に記載の自動ピクチャ設定調節回路であって、前記調節可能ガンマ補正回路の各々は前記カラー映像信号を受けるためのｌｏｇアンプの直列配列を有し、可変利得アンプは前記ｌｏｇアンプの出力に結合され、前記可変利得アンプ派前記のそれぞれのガンマ制御信号を受けるための制御入力を有し、アンチｌｏｇアンプは前記可変利得アンプの出力に結合され、前記アンチｌｏｇアンプの出力は前記調節可能ガンマ補正回路の出力を構成する、ことを特徴とする自動ピクチャ設定調節回路。
【請求項６】
請求項５に記載の自動ピクチャ設定調節回路であって、前記のカラー信号のためのソースは色差信号及び輝度信号を受けるためのマトリクス回路を有し、前記マトリクス回路は前記カラー映像信号を生成する、ことを特徴とする自動ピクチャ設定調節回路。
【請求項７】
請求項５に記載の自動ピクチャ設定調節回路であって、前記調節可能ガンマ補正回路の各々のための初期動作状態を表すプリセット信号を供給するためのプリセット回路を更に有し、前記生成手段は前記プリセット信号及び前記ガンマ調節信号から前記のそれぞれのガンマ制御信号を生成する、ことを特徴とする自動ピクチャ設定調節回路。
【請求項８】
請求項５に記載の自動ピクチャ設定調節回路であって、ユーザによる所望の全体的設定を表すユーザ制御信号を供給するためのユーザ入力を更に有し、前記生成手段は前記ユーザ制御信号及び前記ガンマ調節信号から前記のそれぞれのガンマ制御信号を生成する、ことを特徴とする自動ピクチャ設定調節回路。
【請求項９】
請求項１に記載の自動ピクチャ設定調節回路であって、前記調節可能ガンマ補正回路は、前記のそれぞれのカラー映像信号がアドレス入力に供給されるルックアップテーブルを有し、前記生成手段は前記調節可能ガンマ補正回路に供給するための前記のそれぞれのガンマ制御信号としてガンマ値を計算するためのマイクロプロセッサを有する、ことを特徴とする自動ピクチャ設定調節回路。
【請求項１０】
請求項９に記載の自動ピクチャ設定調節回路であって、ユーザによる所望の全体的設定を表すユーザ制御信号を供給するためのユーザ入力を更に有し、前記マイクロプロセッサは、前記ユーザ制御信号及び前記ガンマ調節信号から前記ガンマ値を生成する、ことを特徴とする自動ピクチャ設定調節回路。
【発明の詳細な説明】
【技術分野】
【０００１】
本発明は、環境光の変化を補償するように、マトリクスディスプレイのピクチャ設定を調節方法に関する。
【背景技術】
【０００２】
ディスプレイにおけるピクチャの視認品質は、ディスプレイが置かれた部屋の環境光の量に大きく依存する。例えば、映画館の中では、経営者は、照明を消さない場合であっても、可能な最適なピクチャを実現するように、館内の明るさを低下させることが習慣である。しかしながら、家庭環境においては、照明を消すことは実際的ではない。むしろ、ディスプレイであって、例えば、テレビジョン受信器は、環境光の量を補償するようにピクチャを調節するために、ユーザが利用できるコントロール機能を有している。これは、通常、表示されるピクチャのコントラストを調節することを含む。部屋の照明は時間の経過と共に変化し得るため、ユーザは、表示されるピクチャのコントラストを繰り返して調節する必要がある。
【０００３】
米国特許第４，７６９，７０８号明細書においては、センサが環境光を測定し、それに応じて表示されるピクチャのコントラストを制御するテレビジョン受信器の、手動及び自動環境光感応ピクチャ制御方法について開示している。
【発明の開示】
【発明が解決しようとする課題】
【０００４】
本発明者は、光出力が制限されたディスプレイの場合に、例えば、コントラストを調節される液晶ディスプレイ（ＬＣＤ）又はプラズマディスプレイパネルはピクチャ品質における劣化に繋がることを見出した。
【０００５】
本発明の目的は、環境光における変化を補償するようにマトリクスタイプのディスプレイに対して自動ピクチャ設定調節を提供することである。この目的は、カラー映像信号のためのソースを有する自動ピクチャ設定調節回路において実現される。その回路は前記カラー信号の各々のための調節可能ガンマ補正回路であって、該調節可能ガンマ補正回路の各々は、実行されるガンマ補正量を制御するための制御信号を受けるための制御入力を有する。そして、その回路は、検出された環境光の量に依存して制御信号を生成するための環境光設定回路である。
【０００６】
本発明者は、マトリクスタイプのディスプレイにおいて、最適設定にコントラストを維持することが最適であることを見出した。更に、輝度の階調を調節するために、それに代えて、ガンマ補正を調節する必要がある。ガンマ補正は、映像信号に適用される輝度レベル変換関数に対する電圧レベルである。ガンマ補正は、光関数の全体的な終端間線形性における差を補償する。映像信号は、陰極線管により利用されているガンマ補正の固定量を既に有する。マトリクスディスプレイに対しては、このガンマ補正の固定量は取り除かれ、適切なガンマ補正量が、それ故、映像信号に付加される。環境光に依存してガンマ補正量を変化させることにより、ピクチャ品質は、最良のピクチャを達成するように調節されることが可能である。
【０００７】
上記の及び更なる目的及び優位性について、参照図面を参照しながら以下に詳述する。
【発明を実施するための最良の形態】
【０００８】
図１に示すように、入力１０、１２、１４及び１６は、それぞれ、輝度信号Ｙ及び色差信号Ｒ−Ｙ、Ｂ−Ｙ及びＧ−Ｙを受ける。マトリクス回路２０は、輝度信号及び色差信号からカラー映像信号Ｒ、Ｇ及びＢを生成する。カラー映像信号は、それぞれの調節可能ガンマ補正回路２２、２４及び２６に印加される。３つの調節可能ガンマ補正回路からの出力は、マトリクスタイプディスプレイ３０に駆動信号を供給するためのディスプレイ駆動回路２８に供給される。
【０００９】
調節可能ガンマ補正回路２２、２４及び２６は、それぞれの第１入力において、プリセット回路３８からプリセットガンマ制御信号を受ける、加算回路３２、３４及び３６の出力に接続されるガンマ制御入力を有する。加算回路３２、３４及び３６の第２入力は、全体的なガンマ補正のユーザ設定を示すユーザ入力４２においてユーザガンマ制御信号を受ける他の加算回路４０の出力に、集合的に接続されている。更に、加算回路４０は、環境光センシング回路４４から環境光ガンマ制御信号を受ける。環境光センシング回路４４は、基準電圧ソース＋ＶＲＥＦとアースとの間の第２抵抗Ｒ２と直列に配列された、抵抗Ｒ１と光センサ４６の並列配列を有する。
【００１０】
動作中、本発明を組み込んだディスプレイ装置の製造メーカは、プリセット回路３８を用いて、調節可能ガンマ補正回路２２、２４及び２６の各々の補正レベルを予め調節する。ディスプレイ装置のユーザは、次いで、ユーザ入力に接続されたユーザ制御（図示せず）を操作することにより全体的なガンマ補正の調節の度合いを達成することが可能である。最終的に、光センサ４６がディスプレイ装置のキャビネットの外側の環境光を検出するように都合よく配置されている環境光センシング回路４４は、可変環境光ガンマ制御信号を、環境光量に依存する加算回路に供給する。
【００１１】
調節可能ガンマ補正回路２２、２４及び２６の実施形態については、米国特許第５，８８９，５６５号明細書に記載されている。特に、図２に示すように、映像信号はｌｏｇアンプ５０に供給される。可変利得アンプ５２は、ｌｏｇアンプ５０の出力に接続された入力と、ガンマ制御値を受けるための制御入力５４とを有する。最終的に、アンチｌｏｇアンプ５６は、可変利得アンプ５２の出力に接続された入力と、ガンマ補正された映像信号を供給するための出力とを有する。それらの構成要素の各々は個別に利用可能である一方、ｌｏｇアンプ５０及びアンチｌｏｇアンプ５６が適切に協働するように、それらは同じ温度に保たれる必要があることが分かった。それ故、ｌｏｇアンプ５０及びアンチｌｏｇアンプ５６は、同じ集積回路チップに形成される必要がある。それを受けて、同じチップ上に可変利得アンプ５２を形成することは好都合である。更に好都合なことに、調節可能ガンマ補正回路２２、２４及び２６の全てを同じ集積回路チップ上に形成することが可能である。
【００１２】
図３は、自動ピクチャ設定調節回路の第２実施形態を示している。特に、調節可能ガンマ補正回路２２´、２４´及び２６´はルックアップテーブル（ＬＵＴ）の形にあり、カラー映像信号Ｒ、Ｇ、Ｂはアドレス信号として供給される。ＬＵＴの２２´、２４´及び２６´は、このとき、ＬＵＴ２２´、２４´及び２６´における適切なガンマ設定を設定するマイクロプロセッサ６０に結合されている。一実施形態においては、ＬＵＴ２２´、２４´及び２６´の各々は複数のガンマ値テーブルを有し、マイクロプロセッサ６０は、それぞれのカラー信号によりアドレスされるべき適切なテーブルを選択する。ＬＵＴ２２´、２４´及び２６´の各々の必要なサイズを制限するために、他の実施形態においては、マイクロプロセッサ６０は、ＬＵＴ２２´、２４´及び２６´の各々に対する適切なガンマ値を計算し、次いで、それらの値をＬＵＴ２２´、２４´及び２６´にロードする。図１のプリセット回路３８は、ここで、マイクロプロセッサ６０に組み込まれることを理解する必要がある。ユーザ入力４２は又、マイクロプロセッサ６０に接続され、ガンマ補正についてのユーザの所望の全体的な設定を表すユーザ制御信号を適用する。最終的に、環境光設定回路４４は、マイクロプロセッサ６０に対してガンマ補正コードに電圧信号を変換する他のルックアップテーブル（ＬＵＴ）６２によりマイクロプロセッサ６０に接続される。
【００１３】
上記において開示した構造についての多くの変形及び修正が可能であることを、当業者は理解しているであろう。しかしながら、上記の実施形態は、単に例示目的のためのものであり、本発明を制限するものであると解釈されるべきでない。本発明の範囲から逸脱しないそのような変形全ては、同時提出の特許請求の範囲の範囲内に含まれることが意図されている。
【図面の簡単な説明】
【００１４】
【図１】本発明に従った自動ピクチャ設定調節回路の一実施形態を示す図である。
【図２】調節可能ガンマ補正回路の実施形態を示す図である。
【図３】本発明に従った自動ピクチャ設定調節回路の第２実施形態を示す図である。
【図１】
2006510053.tif 000003
【図２】
2006510053.tif 000004
【図３】
2006510053.tif 000005
【国際調査報告】
2006510053.tif 000006
2006510053.tif 000007
2006510053.tif 000008